【事件の表示】
　特願２００１−３１６９７２「グラビア印刷版」拒絶査定不服審判事件〔平成１５年　４月２３日出願公開、特開２００３−１１８０６５〕について、次のとおり審決する。
【結　論】
　本件審判の請求は、成り立たない。
【理　由】
１　手続の経緯・本願発明 
（１）手続の経緯 
　本願は、平成１３年１０月１５日の出願であって、平成１９年１０月１９日に手続補正がなされ、同年１０月３０日付けで拒絶査定がなされ、これに対し、同年１１月１６日に拒絶査定不服審判が請求されたものである。 
　
（２）本願発明 
　本願の請求項１に係る発明は、平成１９年１０月１９日付け手続補正後の明細書及び図面の記載からみて、その特許請求の範囲の請求項１に記載された事項により特定される、次のとおりのものである。  
 「グラビア版用基体に硫酸銅メッキ層を形成し硫酸銅メッキ層に凹部を形成してから前記硫酸銅メッキ層の全面に硬質クロムメッキ層を形成し、撥インク性層を前記クロム層の全面にコートしてから前記撥インク性層のドクター摺動面を微小研磨して前記硬質クロムメッキ層を露出し前記凹部にのみ前記撥インク性層を残してなるグラビア印刷版であり、前記撥インク性層は、フルオロアルキルシランを溶剤に溶かして常温で浸漬法又はスプレーコート法によってコートして乾燥してなり、かつ前記凹部の硬質クロムメッキ層とフルオロアルキルシラン被膜との化学結合によって強い密着強度を有するようにした被膜であることを特徴とするグラビア印刷版。」（以下「本願発明」という。） 
　
２　刊行物の記載事項 
　原査定において引用され、本願の出願前に頒布された刊行物である特開平５−４２７８１号公報（以下「引用例」という。）には、図とともに次の事項が記載されている。 （下線は審決において付した。以下同じ。）
（１）　「【０００４】まず、一般的にはシリンダー状をなしている鋼性の
グラビア版用基体（１）上に銅層（２）を
施し
【０００５】この後の工程は製版方法によって種々のものがあるが、そのうちの一つとしては
銅層（２）の表面に
画像部分に相当する
凹部（３）と非画像部分（４）とを形成する
【０００６】このときの腐蝕の深度は１０μ〜６０μ程度である。次にレジストを剥膜後
湿式クロムメッキ法
硬質クロム層（５）
施こす
　
（２）　「【００１２】図３は本発明の
グラビア印刷版
全面にクロム層（５）が施され、凹部（３）に撥インキ性層（７）が施されている
　
（３）　「【００２１】すなわち、従来知られている種々の方法でグラビア印刷版を形成させ
クロムメッキ
施し
撥インキ性樹脂例えばフッ素系樹脂を全面にコートし、非画像部に付着した撥インキ性樹脂を除去
【００２２】
撥インキ性樹脂をコートするには
スプレーコート法
行う
【００２５】なお、全面に樹脂をコートした後に
非画像部の樹脂を除去するのは研摩
用いる
　 
（４）　上記（１）ないし（３）から、引用例には、次の発明（以下「引用発明」という。）が記載されていると認められる。 
　「グラビア版用基体上に銅層を施し、該銅層の表面に画像部分に相当する凹部と非画像部分とを形成し、全面に湿式クロムメッキ法による硬質クロム層を施し、撥インキ性樹脂であるフッ素系樹脂を全面にスプレーコート法でコートし、前記非画像部分に付着した撥インキ性樹脂を、研摩を用いて除去してなる、前記凹部に撥インキ性層が施されているグラビア印刷版。」　 
　 
３　対比 
　本願発明と引用発明とを対比する。 
（１）　引用発明の「湿式クロムメッキ法による硬質クロム層」、「撥インキ性層」、「非画像部分」は、それぞれ本願発明の「硬質クロムメッキ層」、「撥インク性層」、「ドクター摺動面」に相当する。
（２）　引用発明の「グラビア版用基体上に銅層を施し、該銅層の表面に画像部分に相当する凹部と非画像部分とを形成し、全面に湿式クロムメッキ法による硬質クロム層を施」すことと本願発明の「グラビア版用基体に硫酸銅メッキ層を形成し硫酸銅メッキ層に凹部を形成してから前記硫酸銅メッキ層の全面に硬質クロムメッキ層を形成」することとは「グラビア版用基体に銅層を形成し銅層に凹部を形成してから前記銅層の全面に硬質クロム層を形成」する点で共通する。
（３）　引用発明は「撥インキ性樹脂であるフッ素系樹脂を全面にスプレーコート法でコートし」ており、前記「全面」が「硬質クロム層」であることから、撥インク性層を硬質クロム層の全面にコートするものといえる。
（４）　引用発明の「前記非画像部分に付着した撥インキ性樹脂を、研摩を用いて除去してなる、前記凹部に撥インキ性層が施されている」ことと本願発明の「撥インク性層のドクター摺動面を微小研磨して前記硬質クロムメッキ層を露出し前記凹部にのみ前記撥インク性層を残してなる」こととは「撥インク性層のドクター摺動面を研磨して前記硬質クロムメッキ層を露出し前記凹部にのみ前記撥インク性層を残してなる」点で共通する。
（５）　上記（１）ないし（４）からみて、本願発明と引用発明とは、 
 「グラビア版用基体に銅層を形成し銅層に凹部を形成してから前記銅層の全面に硬質クロムメッキ層を形成し、撥インク性層を前記クロム層の全面にコートしてから前記撥インク性層のドクター摺動面を研磨して前記硬質クロムメッキ層を露出し前記凹部にのみ前記撥インク性層を残してなるグラビア印刷版。」の点で一致し、 以下の点で相違する。
　
相違点１：
　前記銅層が、本願発明では、「硫酸銅メッキ層」であるのに対して、引用発明では、そのようなものであるかどうか不明な点。
　
相違点２：
　前記「研摩」が、本願発明では、「微小研摩」であるのに対して、引用発明では「微小研摩」であるか否かは明確でない点。
　
相違点３：
　前記撥インク性層が、本願発明では「フルオロアルキルシランを溶剤に溶かして常温で浸漬法又はスプレーコート法によってコートして乾燥してなり、かつ前記凹部の硬質クロムメッキ層とフルオロアルキルシラン被膜との化学結合によって強い密着強度を有するようにした被膜」であるのに対して、引用発明では、フッ素系樹脂をスプレーコート法でコートしたものである点。 　
　
４　判断 
　上記相違点１ないし３について検討する。 
（１）相違点１について
　ア　グラビア印刷版の銅層として硫酸銅メッキ層は、周知である（以下「周知技術１」という。例．特開昭５１−８６０３３号公報特に「２．特許請求の範囲・・（中略）・・
グラビア版
硫酸銅メツキ
グラビア印刷版の
硫酸銅
Ｃｕメツキ
　イ　したがって、引用発明において、「銅層」として「硫酸銅メッキ層」を採用することは、当業者が周知技術１に基づいて適宜になし得た設計事項である。
　
（２）相違点２について
　引用発明において、「研摩」は非画像部分の樹脂を除去するために用いられることから、研摩の度合いを前記樹脂の除去に必要十分な「微小」とすることは、当業者が適宜になし得た設計事項である。
　
（３）相違点３について
　ア　印刷版の撥インク性層として、フルオロアルキルシランを溶剤に溶かして浸漬法又はスプレーコート法によってコートして形成した被膜を用いることは、周知である（以下「周知技術２」という。例．特開平４−３３２６９４号公報特に【請求項１】ないし【請求項４】、段落【０００３】、【０００７】、【０００８】、【００１１】ないし【００１３】、特開平４−２４６５９４号公報特に【請求項１】ないし【請求項２】、段落【０００９】、【００１１】ないし【００１４】、及び特開平５−１１６４７５号公報特に段落【０００９】、【００１６】、【００１８】、【００２６】参照）。
　イ　したがって、引用発明の撥インク性層として、フルオロアルキルシランを溶剤に溶かして浸漬法又はスプレーコート法によってコートして形成した被膜を用いることは、当業者が周知技術２に基づいて容易になし得たことである。
　そして前記「浸漬法又はスプレーコート法」を「
常温で
乾燥
浸漬、スプレー
風乾
乾燥
溶解
１Ｈ，１Ｈ，２Ｈ，２Ｈ−パーフルオロオクチルトリクロロシラン
浸漬し常温
噴霧
乾燥
【００１６】Ｂ．本発明の方法を、防汚性処理膜を形成するに際して、下記各工程を経ることを特徴とする。
【００１７】(1) 塗布工程：蒸着膜上に、ポリフルオロアルキルシラン加水分解物を有機溶剤で希釈し、界面活性剤を添加した防汚性処理液を使用して
ディッピング
液温５〜３０℃
ディッピング
ディッピング
常温（５〜３０℃）
浸漬
乾燥
風乾
【００３０】
【実施例】
Ａ．本発明を次に上げる実施例により具体的に説明するが本発明はこれらの実施例に限定されるものではない。
【００３１】処理液の調製；下記構造式で示されるポリフルオロアルキルシラン
ＣＦ3(ＣＦ2)7 ＣＨ2 ＣＨ2 Si（ＯＣＨ3)3５部を
メタノール
溶解
ポリフルオロアルキルシラン１％溶液
【００３２】［実施例１］基材は、ＣＲ３９（ポリジエチレングリコールビスアリルカーボネイト）製７０φの平面レンズに、真空蒸着法によりレンズ表面側から無機物質のSi０2 λ/4、ZrＯ2 λ/8、Ａｌ2 ０3 λ/8、ZrＯ2 λ/4、Si０2 λ/4（λ＝５２０nm）に設定し、反射防止膜（蒸着膜）を形成させたものを使用した。該反射防止膜は、グリーンの反射干渉色を呈した。
【００３３】防汚性処理膜の形成は、上記処理液に２０秒基材を
浸漬
ディッピング
風乾
　ウ　本願の明細書には以下の事項が記載されている。
「【０００８】
　前記
フロオロアルキルシラン
素材表面と化学的に接触して
塗膜を形成
　
フロオロアルキルシランによる表面処理は
版面結合力が高く
　エ　したがって、上記イで、引用発明の撥インク性層として、フルオロアルキルシランを溶剤に溶かして常温で浸漬法又はスプレーコート法によってコートして乾燥することにより形成した被膜を用いれば、このフルオロアルキルシランからなる被膜と、該被膜と接触する素材表面である凹部の硬質クロムメッキ層とは、化学結合によって強い密着強度を有する（上記ウ参照。）ことになる。
　オ　上記イ及びエから、引用発明において、上記相違点３に係る本願発明の構成となすことは、当業者が周知技術２に基づいて容易になし得たことである。 
　
（４）効果について
　本願発明の奏する効果は、引用発明の奏する効果、周知技術１ないし周知技術２の奏する効果から、当業者が容易に予測できた程度のものである。 
　
（５）まとめ　
　以上の検討によれば、本願発明は、引用例に記載された発明、周知技術１ないし周知技術２に基いて当業者が容易に発明をすることができたものである。 
　
５　むすび 
　以上のとおり、本願発明は、引用例に記載された発明、周知技術１ないし周知技術２に基いて当業者が容易に発明をすることができたものであるから、特許法第２９条第２項の規定により、特許を受けることができない。
　よって、結論のとおり審決する。